(57)【特許請求の範囲】
【請求項１】
センサ基板と、前記センサ基板を保持するセンサ基板保持部とを有し、回転自在に設けられた赤外線センサを備え、前記センサ基板は、一面にセンサ素子を有し、他面に導電部を有しないプリント基板であり、前記センサ基板保持部は、前記センサ基板の端縁を保持する基板挟持部を備え、該基板挟持部は、前記センサ基板の一面に当接する受けリブと、前記受けリブとの間に前記センサ基板を挟持する挟持リブとを備え、前記挟持リブの先端部には、前記センサ基板が装着される際に前記センサ基板の端面と接する傾斜面と、前記センサ基板が装着された後に前記センサ基板の他面と接する下面とが設けられた空気調和機。
【請求項２】
前記センサ基板保持部は、外周縁に立ち上りリブを備える請求項１に記載の空気調和機。
【請求項３】
前記センサ基板保持部は、回転軸によって回動される中空軸部を備え、前記中空軸部の内部に、前記センサ基板からの配線を通す請求項１〜２のいずれか１項に記載の空気調和機。
【発明の詳細な説明】
【技術分野】
【０００１】
本発明は空気調和機、特にその空調制御に用いる赤外線センサの構成に関するものである。
【背景技術】
【０００２】
一般に空気調和機は、部屋内の空気の温度を検出する温度センサに加え、赤外線センサを設けて、部屋の温度、例えば人位置とともに床面温度を検出し、この人がいる位置を快適にする空調制御が主流となりつつある。
【０００３】
また、上記以外にも赤外線センサを活用して空調制御するものの中には、当該赤外線センサにより更に人数や人の活動量をも検出し、その出力に基づき空調負荷を算出して空調を行う等、数多くの制御手法が実用化され、快適な空間とする制御を実現している。
【０００４】
このような赤外線センサを用いて空調制御を行う空気調和機は、本体の前面部に赤外線センサを設け、この赤外線センサを左右に回動させて部屋内の温度状態を検出するようになっている（例えば、特許文献１参照）。
【０００５】
図１４は上記特許文献１記載の空気調和機を示し、この空気調和機は本体１０１の前面略中央部に人体及び床温を検出する赤外線センサ１０２を設け、この赤外線センサ１０２を左右に回動させて部屋の中にいる人と床面温度を検出し、これら両方の情報に基づき風向、風量、圧縮機回転数の少なくともいずれか一つを制御して、空調するようになっている。
【先行技術文献】
【特許文献】
【０００６】
【特許文献１】特開２００９−９２２５２号公報
【発明の概要】
【発明が解決しようとする課題】
【０００７】
上記従来の赤外線センサを用いた空気調和機は、赤外線センサからの出力に基づいて高度な空調制御が可能となり、その空調空間の快適性をかなり高いものとすることができるようになってきている。
【０００８】
しかしながら、上記赤外線センサは、通常、センサ基板保持部にセンサ基板を装着して構成してあるが、上記センサ基板が指先程度の大きさのものであるため、前記センサ基板保持部に装着しづらく、組立性に欠ける、という課題があった。
【０００９】
特に上記センサ基板は、その一面にセンサ、他面に回路配線部を有し、両面とも導電部を具備した形となっているため、この導電部分に触れずにセンサ基板を指でつまんでセンサ基板保持部にセットし固定することが困難で、組立性が悪くコストアップの要因となっていた。また、気をつけていても指が導電部に触れて品質不良を発生させてしまうことがあり、歩留まり低下によるコストアップを招くことにもなっていた。
【００１０】
本発明はこのような点に鑑みてなしたもので、赤外線センサの組立性を向上させると同時に品質不良を抑制して安価に提供できる空気調和機とすることを目的としたものである。
【課題を解決するための手段】
【００１１】
本発明は上記目的を達成するため、本発明の空気調和機は、センサ基板と、前記センサ基板を保持するセンサ基板保持部とを有し、回転自在に設けられた赤外線センサを備え、前記センサ基板は、一面にセンサ素子を有し、他面に導電部を有しないプリント基板であり、前記センサ基板保持部は、前記センサ基板の端縁を保持する基板挟持部を備えるものである。
【発明の効果】
【００１２】
本発明は、赤外線センサの組立性が向上し、かつ、品質不良も低減できるので、その分コストダウンができ安価に空気調和機を提供することができる。
【図面の簡単な説明】
【００１３】
【図１】本発明の実施の形態１における空気調和機の外観斜視図
【図２】同空気調和機の赤外線センサ設置部分を示すための外観斜視図
【図３】図２のＡ−Ａ断面図
【図４】図２のＢ−Ｂ断面図
【図５】同空気調和機の赤外線センサを設置したセンサ保持枠体の分解斜視図
【図６】同空気調和機の赤外線センサの設置部分を示す正面透視斜視図
【図７】同空気調和機の赤外線センサの設置部分を示す半裁斜視図
【図８】同空気調和機の赤外線センサの斜視図
【図９】同空気調和機の赤外線センサの分解斜視図
【図１０】同空気調和機の赤外線センサのセンサ基板を外した状態の斜視図
【図１１】同空気調和機の赤外線センサのセンサ基板保持部を示す斜視図
【図１２】同空気調和機の赤外線センサのセンサ基板保持部からセンサ基板を外した状態の斜視図
【図１３】（ａ）同空気調和機の赤外線センサのセンサ基板保持部の正面図、（ｂ）同（ａ）に示すセンサ基板保持部のＣ−Ｃ断面図
【図１４】従来の空気調和機の外観斜視図
【発明を実施するための形態】
【００１４】
第１の発明は、センサ基板と、前記センサ基板を保持するセンサ基板保持部とを有し、回転自在に設けられた赤外線センサを備え、前記センサ基板は、一面にセンサ素子を有し、他面に導電部を有しないプリント基板であり、前記センサ基板保持部は、前記センサ基板の端縁を保持する基板挟持部を備えるものである。
【００１５】
これにより、センサ基板はその両端縁を二本の指で挟んで基板挟持部に載せ、そのまま導電部を有しない面に指を押し当てて押し込めば、その端縁が前記挟持部に嵌り込んで固定される。したがって、導電部に指が触れないように気をつけながら装着するという時間のかかる作業の必要がなくなり、組立性が向上して迅速に装着することができるとともに、導電部に指が触れるようなこともなくなるので品質不良も低減することができる。したがって、赤外線センサの組立性向上と品質不良低減により赤外線センサ自体のコストダウンが可能となり、その分安価に空気調和機を提供することができる。
【００１６】
第２の発明は、第１の発明において、前記基板挟持部は、前記センサ基板の一面に当接する受けリブと、前記受けリブとの間に前記センサ基板を挟持する挟持リブとを備え、前記挟持リブの先端部には、前記センサ基板が装着される際に前記センサ基板の端面と接する傾斜面と、前記センサ基板が装着された後に前記センサ基板の他面と接する下面とが設けられたものである。
【００１７】
これにより、リブを設けるだけの簡単な基板挟持部によってセンサ基板を押し込み挟持
させることができ、構成の簡素化による更なるコストダウンを実現することができる。
【００１８】
第３の発明は、第１または第２の発明において、前記センサ基板保持部は、外周縁に立ち上りリブを備えるものである。
【００１９】
これにより、センサ基板保持部自体の剛性が向上し、センサ基板の押し込み装着が安心して行えるようになって作業性向上するとともに、前記立ち上りリブがセンサ基板保持部に装着したセンサ基板のセンサ部分を保護するようにもなるので、生産工程での移送時等にセンサ部分が損傷する等のことを防止でき、信頼性の高い赤外線センサとすることができる。
【００２０】
第４の発明は、第１〜第３の発明において、前記センサ基板保持部は、回転軸によって回動される中空軸部を備え、前記中空軸部の内部に、前記センサ基板からの配線を通すものである。
【００２１】
これにより、赤外線センサはセンサ基板保持部を回動させることによって部屋の一端から他端までの温度を検出する用途に使用できるとともに、回動させて使用してもセンサ基板からのリード線がねじれる等して回動動作に支障もしくはリード線破断につながるようなことがなく、高品質の赤外線センサとすることができる。
【００２２】
以下、本発明の実施の形態について、図面を参照しながら説明する。なお、この実施の形態によって本発明が限定されるものではない。
【００２３】
（実施の形態１）
本実施の形態の空気調和機は、冷媒配管及び制御用配線等により互いに接続された室内機と室外機とで構成され、室外機には圧縮機が設けられている。
【００２４】
図１〜図４はこの空気調和機の室内機を示している。図１〜図４、特に図３に示すように、室内機の外観を構成する空気調和機本体１は、空気を吸い込む吸込み口２と、熱交換された空気を吹き出す吹出し口３とを備えている。吸込み口２は、空気調和機本体１の天面部分の吸込み開口２ａに本体前面の開口部分２ｂを合わせた形となっている。また、空気調和機本体１は、空気調和機本体１の前面を覆う前面パネル４を備えている。
【００２５】
空気調和機本体１の内部には、室内空気に含まれる塵埃を補足するためのフィルタ５と、取り入れた室内空気を熱交換する熱交換器６と、吸込み口２からフィルタ５を通して取り入れた室内空気を熱交換器６で熱交換して吹出し口３から室内に吹き出すための気流を発生させる貫流式のファン７とが設けられている。
【００２６】
吹出し口３には、当該吹出し口３を開閉するとともに、空気の吹出し方向を上下方向に変更することができる上下風向変更板８が設けられている。上下風向変更板８は、上羽根８ａと下羽根８ｂとからなり、上羽根８ａ、下羽根８ｂはそれぞれ、左右両端のいずれかの回転軸において、ステッピングモータ等からなる駆動モータの回転軸に連結されている（図示せず）。そして、この駆動モータの動作により、上羽根８ａ、下羽根８ｂは、それぞれ上下方向に回動する。なお、上下風向変更板８は上羽根８ａと下羽根８ｂからなるものではなく一つの羽根で構成されるものであってもよい。
【００２７】
また、ファン７の下流側から吹出し口３の上流側に至る通風路９には、空気の吹出し方向を左右に変更することができる複数枚の左右風向変更羽根１０が設けられている。複数枚の左右風向変更羽根１０は、動きを連動させる連結桟により連結され、連結桟はステッピングモータ等からなる駆動モータの回転軸に連結されている（図示せず）。そして、こ
の駆動モータの動作により、複数枚の左右風向変更羽根１０は、それぞれ左右方向に回動する。
【００２８】
また、前記空気調和機本体１の天面と前面パネル４とフィルタ５との間には電装ユニット１１が配置してある。この電装ユニット１１は空気調和機本体１を構成する台枠の一部を利用して装着してあり、前記ファン７、上下風向変更板８、左右風向変更羽根１０、圧縮機等を制御して当該空気調和機の運転を制御するようになっている。
【００２９】
ここで、上記のような構成を持つこの空気調和機には、前記空気調和機本体１の前面部分すなわち前面パネル４と、吹出し口３との間にセンサ保持枠体１２が設けてある。センサ保持枠体１２の前面は、略垂直に設けられた前面パネル４に対して、傾斜して設けられている。
【００３０】
上記センサ保持枠体１２には、図２及び図５に示すようにその一方端側に人体を検知する人体検知センサ１３、他方端側に床面や壁面等の温度或いは人体の表面温度もしくはその両方を検出する赤外線センサ１４が組み込んである。
【００３１】
更に前記センサ保持枠体１２の前面は、前記センサ保持枠体１２に貼付け装着した赤外線透過型の１枚の樹脂製の装飾シート１５（図５参照）で覆われている。つまり、人体検知センサ１３及び赤外線センサ１４の前方は装飾シート１５で覆われ、人体検知センサ１３及び赤外線センサ１４は、当該装飾シート１５を介して、人体や部屋内の温度を検出するように構成してある。
【００３２】
上記人体検知センサ１３は、人体から放射される赤外線を検知する焦電素子型の赤外線センサを備え、空調すべき部屋内の赤外線量の変化により人存否と人移動を検出するものである。人体検知センサ１３は、センサ保持枠体１２には固定状態で取り付けてある。
【００３３】
一方、前記赤外線センサ１４は、多数の熱電素子型のセンサ素子を配列したセンサ群素子体を備え、空調すべき部屋の床面や壁面等の温度或いは人体の表面温度もしくはその両方の温度を赤外線量によって検出するものである。赤外線センサ１４は、部屋全域の温度状態を検出できるように左右に回動自在として、センサ保持枠体１２に取り付けられている。
【００３４】
以下、この赤外線センサ１４の構成について図３〜図１３を用いて説明する。
【００３５】
まず上記人体検知センサ１３および赤外線センサ１４を組み込んだセンサ保持枠体１２の構成を説明する。図３〜図５に示すように、センサ保持枠体１２は、その外周縁に設けた枠部１６の背部にカバー体１７を装着して、人体検知センサ１３および赤外線センサ１４を覆う構成としてある。センサ保持枠体１２は、その両端部を空気調和機本体１に枢支して手前側に回動可能となっている。センサ保持枠体１２を手前側に回動させることにより背部側に位置するフィルタ５を容易に着脱できるようにしてある。
【００３６】
また、図２及び図６に示すように、センサ保持枠体１２の前面の赤外線センサ１４のセンサ群素子体２１ａ（後述する図８参照）に対向する位置には、略円形の孔であるセンサ窓１８が設けられている。また、センサ保持枠体１２の前面には、前記センサ窓１８を中心に左右方向へ延びる凹状溝１９が設けてあり、この凹状溝１９の底は前記センサ窓１８部分から左右両端部に向かって前方へとせり出しながら傾斜する構成としてある。
【００３７】
そして、上記センサ窓１８に対向すべくセンサ保持枠体１２の内側に赤外線センサ１４が組み込んである。
【００３８】
図７に示すように、カバー体１７は、赤外線センサ１４、より具体的には、後述するセンサ筐体２０を、センサ保持枠体１２に保持するためのセンサ保持リブ１２ａを備えている。また、カバー体１７は、赤外線センサ１４、より具体的には、センサ筐体２０の側方に突出するセンサ側方リブ１２ｂを備えている。センサ保持リブ１２ａ及びセンサ側方リブ１２ｂは、カバー体１７の内面から赤外線センサ１４側に突出するリブである。
【００３９】
図８〜図１３に示すように、上記赤外線センサ１４は、センサ筐体２０の下部に、センサ基板２１を有するセンサ基板保持部２２を設け、このセンサ基板保持部２２を前記センサ筐体２０の上部に設けたモータ２３、例えばステッピングモータで矢印に示す如く、左右方向に回動可能としている。これにより、センサ基板２１に設けられたセンサ群素子体２１ａは、左右方向に回動し、前記センサ窓１８及び前記凹状溝１９を介し部屋内の全域をスキャンできる。
【００４０】
図１０〜図１２に示すように、センサ基板保持部２２は、開口２２ａを備えた平面部２２ｂと、平面部２２ｂの外周縁で立ち上がる立ち上りリブ２４と、上部に設けられた中空軸部２５とを備えている。そして、立ち上りリブ２４の内側には、センサ基板２１を挟持する基板挟持部２６が設けてある。
【００４１】
基板挟持部２６は、センサ基板２１を受け止める受けリブ２７と、挟持リブ２８とから構成されている。受けリブ２７及び挟持リブ２８は、いずれも平面部２２ｂから立ち上りリブ２４と同じ方向に突出するリブである。受けリブ２７及び挟持リブ２８はそれぞれ、開口２２ａを挟んで一対に設けられている。
【００４２】
受けリブ２７の高さは、立ち上りリブ２４の高さより低く、挟持リブ２８の高さは、立ち上りリブ２４の高さと略同等である。挟持リブ２８の先端には、一対の挟持リブ２８の互いに対向する側に突出する突出部２８ａが設けられている。突出部２８ａは、平面部２２ｂと対向する略平行な面である下面２８ａ１と、挟持リブ２８の先端に向かうほど突出部２８ａの高さが低くなるように傾斜する傾斜面２８ａ２とを備えている。傾斜面２８ａ２は、一対の挟持リブ２８の互いに対向する面に設けられている。
【００４３】
受けリブ２７または挟持リブ２８が突出する方向における、受けリブ２７の先端と挟持リブ２８の下面２８ａ１との間隔は、センサ基板２１の板厚より若干大きい。
【００４４】
また、センサ基板保持部２２は、センサ基板２１の位置を規制するためのピン３２を備えている。ピン３２は、平面部２２ｂから立ち上りリブ２４と同じ方向に突出する略円柱状の突起である。  センサ基板２１は、基板の一方の面（以下、前面と称する）にセンサ群素子体２１ａと、コネクタ部２９と、センサ群素子体２１ａとコネクタ部２９などとを導通させる導電箔等の回路パターン配線である導電部とを備えている。そして、センサ基板２１の他方の面（以下、背面と称する）は、電子部品や導電箔等の回路パターン配線などの導電部を設けない平滑な面としてある。つまり、センサ基板２１の背面は、基板のままとなっている。
【００４５】
なお、基板は、紙基材を、油脂を含んだフェノール樹脂で固めた紙フェノール板や、グラス・ファイバで織った布をエポキシ樹脂で固めたガラス・エポキシ板である。
【００４６】
センサ基板２１は、一端に、リード線３０を接続するためのコネクタ部２９を備えている。リード線３０は、センサ群素子体２１ａと制御部（図示せず）との間の電気的信号などをやり取りする電線である。
【００４７】
また、センサ基板２１は、コネクタ部２９が設けられた側とセンサ群素子体２１ａを挟んだ反対側に、ピン３２が挿入される挿入孔３３を備えている。
【００４８】
センサ基板２１は、センサ群素子体２１ａが開口２２ａに対向するように、位置決めされて、センサ基板保持部２２に保持される。
【００４９】
より具体的には、センサ基板２１の平面方向については、センサ基板２１の両端縁が一対の挟持リブ２８に接することで規制される（図１３（ａ）参照）。さらに、挿入孔３３にピン３２が挿入されることで、センサ基板２１の位置が規制されることが望ましい。また、センサ基板２１の平面と垂直な方向については、受けリブ２７の先端が、センサ基板２１の前面と接し、挟持リブ２８の突出部２８ａのうち下面２８ａ１が、センサ基板２１の背面と接することで、センサ基板２１は、受けリブ２７と挟持リブ２８とにより挟持される（図１３（ｂ）参照）。
【００５０】
センサ基板２１がセンサ基板保持部２２に装着された状態において、センサ基板２１の前面、すなわちセンサ群素子体２１ａが設けられた面は、開口２２ａを除いて、センサ基板保持部２２の平面部２２ｂに覆われている。また、図１３（ｂ）に示すように、センサ群素子体２１ａと平面部２２ｂとの間には、所定の隙間が設けられる。つまり、センサ群素子体２１ａは、センサ基板保持部２２の平面部２２ｂからセンサ基板２１の背面側に奥まった位置に設けられる。
【００５１】
センサ基板２１のセンサ基板保持部２２への装着方法について、以下に説明する。センサ基板２１は、まずその端縁、例えば左右両端縁を二本の指でつまみ、センサ基板２１の前面が平面部２２ｂに対向するように、挟持リブ２８の傾斜面２８ａ２に接触させる。より望ましくは、挟持リブ２８が上方に突出するようにセンサ基板保持部２２を保持し、センサ基板２１の前面が平面部２２ｂに対向するように、挟持リブ２８の傾斜面２８ａ２上に載置する。
【００５２】
この際、ピン３２が挿入孔３３に対向させる位置となるようにする、つまり、挿入孔３３からピン３２が見えるように、センサ基板２１を位置決めすることで、センサ基板２１を、容易にセンサ群素子体２１ａが開口２２ａに対向する位置となるようにできる。
【００５３】
次に、センサ基板２１の背面、すなわち導電部を設けていない面を、指で押し込む。これにより、センサ基板２１は、端縁が傾斜面２８ａ２に接触して、一対の挟持リブ２８を押し広げつつ、平面部２２ｂ側に押し込まれる。
【００５４】
センサ基板２１の前面と受けリブ２７の先端が接することで、それ以上、センサ基板２１が押し込まれることがない。そして、センサ基板２１の前面と受けリブ２７の先端面が接した状態で、一対の挟持リブ２８は押し広げられる前の状態となり、突出部２８ａの下面２８ａ１が、センサ基板２１の背面と接する。また、ピン３２は挿入孔３３に挿入される。
【００５５】
これによって、センサ基板２１の前面は、受けリブ２７の先端で受け止められるとともに、センサ基板２１の端縁を、挟持リブ２８の突出部２８ａの下面２８ａ１と受けリブ２７の先端との間で挟持される。
【００５６】
このように、センサ基板２１はその両端を指で挟んで挟持リブ２８の傾斜面２８ａ２に当接させ、そのまま押し込むだけでセンサ基板保持部２２に装着できるから、センサ基板２１が指先程度の大きさであっても、簡単にセンサ基板保持部２２に装着することができる。
【００５７】
また、図９に示すように、前記センサ基板保持部２２はその中空軸部２５をセンサ筐体２０に貫設し、センサ筐体２０上に配置した前記モータ２３の軸２３ａに仲介軸２３ｂを介し嵌合してあり、モータ２３の回転に伴って回動するようになっている。
【００５８】
そして、上記センサ基板保持部２２とセンサ筐体２０との間にコイルバネ３１を懸架してある。コイルバネ３１は、軸２３ａの時計周りおよび反時計回りのいずれか一方の回転方向に中空軸部２５を付勢している。そして、コイルバネ３１が付勢する方向は、前記センサ基板保持部２２が部屋温度を検出する場合に、軸２３ａを回転させる方向とは反対の方向としている。例えば、センサ基板保持部２２が部屋温度を検出する場合の軸２３ａの回転方向が時計回りであれば、コイルバネ３１は中空軸部２５を反時計周りに付勢する。
【００５９】
これによれば、軸２３ａの反回転方向側のモータ２３のギアの遊びがなくなるので、センサ基板保持部２２が部屋温度を検出する方向に回動する時には、モータ２３のバックラッシュを防止できる。
【００６０】
また、センサ基板保持部２２の中空軸部２５は、軸２３ａと同軸に配置されている。つまり、中空軸部２５は、ギアやリンクを介することなく、軸２３ａの径を拡大するための仲介軸２３ｂのみを介して、モータ２３の軸２３ａに直結されている。これによれば、モータ２３が有するギアの遊びの影響を最小限に抑制できる。
【００６１】
また、コネクタ部２９に接続されるリード線３０は、センサ基板保持部２２の中空軸部２５内を通して配線してある。
【００６２】
また、前記センサ基板保持部２２とモータ２３とはセンサ筐体２０に一体に組み付けてユニット化してある。
【００６３】
また、上記モータ２３は部屋内の温度を検出するための回動範囲を超えてセンサ基板保持部２２を回動させることができるようにしてあり、赤外線センサ１４は装飾シート１５を介することなくセンサ保持枠体１２自体の温度も検出可能としてある。より具体的には、赤外線センサ１４は、前記センサ保持枠体１２の側方に位置するセンサ側方リブ１２ｂの温度を検出するようにしてある。
【００６４】
そして、上記赤外線センサ１４によって検出した部屋の温度を、前記センサ保持枠体１２の温度で補正することで、装飾シート１５の温度の影響を補正することができる。
【００６５】
なおこの実施の形態では、前記赤外線センサ１４および人体検知センサ１３を設けたセンサ保持枠体１２には、更にその略中央部に前記電装ユニット１１によって制御される空気調和機の運転状態を表示する表示部３４が設けてある。
【００６６】
この表示部３４は、図３に示すように、センサ保持枠体１２の内面に配置したプリント基板３５上のＬＥＤ３６と、このＬＥＤ３６からの光を導く導光体３７から構成してあり、上記導光体３７の先端発光面３７ａをセンサ保持枠体１２の端縁に設けて、このセンサ保持枠体１２の端縁と前面パネル４の端縁とが接する角部Ｘが発光するようにしてあり、センサ保持枠体１２の前面側及び前面パネル４の前方側の二方向から導光体の発光を確実に視認することができるようにしてある。
【００６７】
以上のように構成された空気調和機について、次にその作用効果について説明する。
【００６８】
まずこの空気調和機は、吸込み口２から吸いこんだ空気を熱交換器６で熱交換して吹出
し口３より吹出し、部屋の空調を行う。そしてセンサ保持枠体１２に設けた人体検知センサ１３が人存否と人移動を検出するとともに、赤外線センサ１４が左右に回動して空調すべき部屋の床面や壁面等の温度或いは人体の表面温度もしくはその両方の温度を検出し、それらの温度出力に基づき電装ユニット１１がファン７、上下風向変更板８、左右風向変更羽根１０、圧縮機等を制御して空調を行う。
【００６９】
本実施の形態では、赤外線センサ１４は、センサ基板保持部２２にセンサ基板２１を装着する構成としている。そして、センサ基板２１は、センサ基板保持部２２に設けた基板挟持部２６に挟持させるだけで、簡単にセンサ基板保持部２２に装着できる。このため、赤外線センサ１４の組み立てが容易となる。
【００７０】
また、センサ基板２１の一面には導電部を設けていないので、指でセンサ基板２１をセンサ基板保持部２２へ押し込む際に、導電部に触れる虞がない。このため、センサ基板２１の装着時に導電部に触れて、導電部を傷つけたりする品質不良の発生を抑制できる。また、導電部に触れないように気を使う必要がないため、作業性が向上する。
【００７１】
このようにセンサ基板２１の装着容易化による組立性向上と導電部へ触れて生じる品質不良の低減により赤外線センサ自体のコストダウンが可能となり、その分安価に空気調和機を提供することができる。
【００７２】
また、センサ基板保持部２２をセンサ基板２１とほほ同じ程度の大きさとしても容易に装着できるので、センサ基板保持部２２の小型化、ひいては赤外線センサ１４全体のコンパクト化が可能となる。また、回動自在に設けられるセンサ基板保持部２２をコンパクト化すると、モータ２３の必要なトルクを低減できるので、赤外線センサ１４全体のコンパクト化が可能となる。
【００７３】
また、この赤外線センサ１４のセンサ基板保持構成は、センサ基板２１を受け止める受けリブ２７と、前記受けリブ２７との間でセンサ基板２１の端縁を挟持する挟持リブ２８とで構成している。このため、リブを設けるだけの簡単な基板挟持部２６によってセンサ基板２１を押し込み挟持させることができる。これにより、構成の簡素化による更なるコストダウンを図ることができる。
【００７４】
また、センサ基板保持部２２の平面部２２ｂは、センサ基板２１のセンサ群素子体２１ａが設けられた面を覆うので、センサ群素子体２１ａを保護することができ、生産工程での移送時やメンテナンス時等にセンサ部分が損傷すること等を防止でき、信頼性の高い赤外線センサ１４とすることができる。
【００７５】
また、センサ群素子体２１ａは、平面部２２ｂよりセンサ基板２１の背面側に設けられるので、生産工程での移送時等にセンサ部分が損傷すること等を防止でき、信頼性の高い赤外線センサ１４とすることができる。
【００７６】
また、前記赤外線センサ１４のセンサ基板保持部２２はその外周縁に立ち上りリブ２４を設けているから、センサ基板保持部２２の剛性が向上し、センサ基板２１の押し込み装着が安心して行えるようになって作業性向上する。しかも、前記立ち上りリブ２４がセンサ基板保持部２２に装着したセンサ基板２１のセンサ群素子体２１ａ部分の保護部ともなるので、生産工程での移送時等にセンサ部分が損傷すること等を防止でき、信頼性の高い赤外線センサ１４とすることができる。
【００７７】
更に、前記赤外線センサ１４はモータ２３によって回転駆動されるが、その際、センサ基板２１からのリード線３０はセンサ基板保持部２２の中空軸部２５内を通して配線して
あるから、センサ基板保持部２２が部屋の一端から他端まで温度検出すべく回転しても、センサ基板２１からのリード線３０がねじれる等して回動動作に支障もしくはリード線破断につながるようなことがなく、高品質の赤外線センサ１４とすることができる。
【００７８】
また、この実施の形態では、赤外線センサ１４は、センサ筐体２０とセンサ基板保持部２２との間にコイルバネ３１を懸架して、床面や壁面等の温度或いは人体の表面温度もしくはその両方の温度を検出する方向とは逆方向の力を受けるように構成してあるから、モータ２３自体にバックラッシュがあってもこのバックラッシュの影響を受けることなくモータ制御パルスの指示通り正確な位置に回転、停止して、精度の高い温度検出を行うことができる。
【００７９】
しかも、上記バックラッシュはセンサ基板保持部２２とセンサ筐体２０との間にコイルバネ３１を懸架して解消するようにしているから、モータ２３はバックラッシュ防止機能を持たないモータ、すなわち一般市販の安価で汎用性の高いモータを使用することができ、大幅なコストダウンが実現できる。
【００８０】
また、前記赤外線センサ１４は、センサを装着したセンサ基板保持部２２と、このセンサ基板保持部２２を回動させるモータ２３とを、センサ筐体２０に一体にしてユニット化してあるから、センサ筐体２０をセンサ保持枠体１２に取付けるだけで簡単に装着できる。したがって、センサ筐体２０、センサ基板保持部２２、モータ２３を別々に取付ける場合に比べその組み立て工数を低減でき、更にコストダウンを図ることができる。
【００８１】
また、前記赤外線センサ１４を装着したセンサ保持枠体１２は、センサ窓１８を中心に左右方向へ延びる凹状溝１９を有していて、その凹状溝１９の底が前記センサ窓１８部分から左右両端部に向かって前方へとせり出すように傾斜させているから、センサ保持枠体１２のセンサ窓１８に対向させて設けた赤外線センサ１４はセンサ保持枠体１２の表面から奥まったところに設けていても、凹状溝１９の底の傾斜に沿って広角度に部屋内の温度を検出することができる。したがって、センサ保持枠体１２の前面をフラットのまま維持してその表面から赤外線センサ１４を突出させることなく部屋内の温度状態を検出することができ、広範囲の温度検出を可能としつつ外観デザインを良好なものとすることができる。
【００８２】
しかも、前記赤外線センサ１４の前方を装飾シート１５によって覆っているので、赤外線センサ１４が外部から見えず、違和感のないものとすることができる。また、センサ筐体２０の回動部分の隙間に塵埃が溜まることもない。
【００８３】
なお、この実施の形態の空気調和機は、前記赤外線センサ１４は既述した通りその前方を装飾シート１５で覆っているので、当該装飾シート１５の温度をも検出し、その影響を受けることになる。しかし、装飾シート１５は赤外線透過性を有するシートのため、装飾シート１５自体の温度のみを直接検知することは困難である。
【００８４】
しかしながら、この実施の形態では、赤外線センサ１４が装飾シート１５を装着したセンサ保持枠体１２だけの温度を検出する位置まで回動可能としてあり、この位置で装飾シート１５を介することなくセンサ保持枠体１２の温度を検出し、この温度を取り込んで、部屋温度を補正する。
【００８５】
したがって、この空気調和機は赤外線センサ１４が装飾シート１５の温度の影響を受けて部屋の温度状態を誤検出することがなく、正確に部屋の温度状態を検出するので、更に精度の高い空調制御が可能となる。
【００８６】
また、赤外線センサ１４を利用してセンサ保持枠体１２の温度を検出しているので、これを検出して補正するための専用の温度センサ等を別途設ける必要がなく、構成を簡素化し、かつ温度補正のためのコストアップを抑制することもできる。
【００８７】
また、前記赤外線センサ１４を設けたセンサ保持枠体１２は表示部３４を備え、この表示部３４はＬＥＤ３６からの光を導く導光体３７の先端をセンサ保持枠体１２の端縁に設けて、このセンサ保持枠体１２の端縁と前面パネル４の端縁とが接する角部Ｘで発光するようにしてあるから、センサ保持枠体１２の前面側及び前面パネル４の前方側の二方向から導光体３７の発光を確実に視認することができる。したがって、表示部３４の点灯状態を空気調和機本体１の近傍はもちろん遠くからでも正確に視認することができ、使い勝手の良いものとすることができる。
【００８８】
以上、本発明に係る空気調和機について、上記実施の形態を用いて説明したが、本発明は、これに限定されるものではない。
【００８９】
例えば、センサ基板２１は背面に導電部を形成しないものとして説明したが、背面にも導電箔をプリントするなどして設け、この導電箔等からなる導電部を電気絶縁性樹脂等でコーティングし実質的に導電部を備えない構成としてもよい。
【００９０】
すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００９１】
以上のように本発明は、赤外線センサの組立性が向上し、かつ、品質不良も低減できるので、その分コストダウンができて安価に空気調和機を提供することができる。したがって、一般家庭用はもちろん業務用の空気調和機等にも幅広く適用できる。
【符号の説明】
【００９２】
１  空気調和機本体
２  吸込み口
３  吹出し口
４  前面パネル
５  フィルタ
７  ファン
８  上下風向変更板
１０  左右風向変更羽根
１１  電装ユニット
１２  センサ保持枠体
１２ａ  センサ保持リブ
１２ｂ  センサ側方リブ
１３  人体検知センサ
１４  赤外線センサ
１５  装飾シート
１６  枠部
１７  カバー体
１８  センサ窓
１９  凹状溝
２０  センサ筐体
２１  センサ基板
２１ａ  センサ群素子体
２２  センサ基板保持部
２２ａ  開口
２２ｂ  平面部
２３  モータ
２３ａ  軸
２３ｂ  仲介軸
２４  立ち上りリブ
２５  中空軸部
２６  基板挟持部
２７  受けリブ
２８  挟持リブ
２８ａ  突出部
２８ａ１  下面
２８ａ２  傾斜面
２９  コネクタ部
３０  リード線
３１  コイルバネ
３２  ピン
３３  挿入孔
３４  表示部
３６  ＬＥＤ
３７  導光体
【図１】
0006307705.tif 000002
【図２】
0006307705.tif 000003
【図３】
0006307705.tif 000004
【図４】
0006307705.tif 000005
【図５】
0006307705.tif 000006
【図６】
0006307705.tif 000007
【図７】
0006307705.tif 000008
【図８】
0006307705.tif 000009
【図９】
0006307705.tif 000010
【図１０】
0006307705.tif 000011
【図１１】
0006307705.tif 000012
【図１２】
0006307705.tif 000013
【図１３】
0006307705.tif 000014
【図１４】
0006307705.tif 000015